(57)【要約】【課題】被抽出物を収納した抽出バッグ本体を、湯飲みやカップ等の抽出容器に安定に且つ安全に係止し、内容物の成分を効率良く抽出するできるようにする。【解決手段】被抽出物３を収容し、非開封状態で抽出容器内の液体に沈められる抽出バッグ本体２に対して、その片面に薄板状部材のフック４を固着させる。このフック４は、抽出バッグ本体２の上部領域Ａが凹部９ａ、９ｂから離反可能な状態で、抽出バッグ本体２の上下方向中央近傍を保持する。抽出バッグ本体２が抽出容器内の液体を吸収すると、上部領域Ａが垂下してフック４の凹部９ａ、９ｂよりも下方に位置するようになる。これにより、抽出バッグ本体内の被抽出物の成分を効率よく抽出できるようになる。【選択図】図１
2009023660.tif 000002
【特許請求の範囲】
【請求項１】
被抽出物を収容し、非開封状態で抽出容器内の液体に沈められる抽出バッグ本体と、
前記抽出バッグ本体の片面に固着されると共に、自身に形成される下向きの凹部によって前記抽出容器の上縁に係合される薄板状部材のフックと、を備え、
前記フックは、
前記抽出バッグ本体における少なくとも上端から中央近傍に亘る上部領域が前記凹部から離反可能な状態で、前記抽出バッグ本体の上下方向中央近傍を保持しており、
前記抽出バッグ本体が前記抽出容器内の前記液体を吸収すると、前記上部領域が垂下して前記フックの前記凹部よりも下方に位置するように構成されることを特徴とする片面フック付抽出バッグ。
【請求項２】
前記フックと前記抽出バック本体の固着領域は、上下方向が短片且つ水平方向が長辺となる長手形状となっていることを特徴とする請求項１記載の片面フック付抽出バッグ。
【請求項３】
前記フックの前記凹部は、前記抽出バック本体の中央よりも上部側に配置されることを特徴とする請求項１又は２記載の片面フック付抽出バッグ。
【請求項４】
前記抽出バック本体が、ガセットを有する袋であることを特徴とする請求項１、２又は３記載の片面フック付抽出バッグ。
【請求項５】
前記抽出バック本体における少なくとも側縁に前記ガセットが形成されていることを特徴とする請求項１乃至４のいずれか記載の片面フック付抽出バッグ。
【請求項６】
前記抽出バッグ本体の前記ガセットの長手方向端部が部分的にシールされていることを特徴とする請求項４又は５記載の片面フック付抽出バッグ。
【請求項７】
前記抽出バッグ本体の前記フックが固着される面側の前記ガセットの折り込み量と比較して、フック反対面側の前記ガセットの折り込み量が大きく設定されていることを特徴とする請求項４、５又は６記載の片面フック付抽出バッグ。
【請求項８】
前記フックは、
前記凹部の一方の内側縁に連続して抽出容器内側下方に延び、且つ一部において前記抽出バック本体に固着される支持部と、
前記凹部の他方の内側縁に連続して抽出容器外側下方に延びる係止部と、を備えることを特徴とする請求項１乃至７のいずれか記載の片面フック付抽出バッグ。
【請求項９】
前記係止部には、前記抽出容器の外側上縁近傍と当接可能な一対の幅方向凹部が形成されることを特徴とする請求項８記載の片面フック付き抽出バッグ。
【請求項１０】
前記係止部に連続して把持部が形成され、前記係止部と前記把持部の境界に折り曲げ線が形成されていることを特徴とする請求項８又は９記載の片面フック付抽出バッグ。
【請求項１１】
前記把持部には、滑り止め用の切り欠き部が形成されていることを特徴とする請求項１０記載の片面フック付抽出バッグ。
【請求項１２】
前記支持部は、下端側において前記抽出バック本体と固着されることを特徴とする請求項８乃至１１のいずれか記載の片面フック付抽出バッグ。
【請求項１３】
前記支持部は、前記抽出容器の内側上縁近傍と当接可能な一対の幅方向拡張部が形成されることを特徴とする請求項８乃至１２のいずれか記載の片面フック付抽出バッグ。
【請求項１４】
前記支持部は、支持部本体と前記幅方向拡張部の境界に折り曲げ線が形成されることを特徴とする請求項１３記載の片面フック付抽出バッグ。
【請求項１５】
前記支持部は、下端側で反転して更に上方に延びる延長部を備えており、前記延長部の一部で前記抽出バック本体に固着されることを特徴とする請求項８乃至１１のいずれか記載の片面フック付抽出バッグ。
【発明の詳細な説明】
【技術分野】
【０００１】
本発明は、緑茶、紅茶、コーヒー等の抽出バッグに関するものであり、更に詳しくは、湯呑みやカップ等の容器に安定に係止し、内容物を容易に抽出することができる片面フック付抽出バッグに関するものである。
【背景技術】
【０００２】
従来、お茶に用いられる抽出バッグあるいはパックとしては、水透過性材料からなる袋本体中にお茶を収納してこれをお湯などに投入・浸漬して抽出操作を行うか、あるいは、この袋本体に吊り糸を取り付け、この吊り糸を操作して袋本体をお湯などの中で浸漬・揺動させ、抽出を促進させるタイプのものが良く用いられている（例えば特許文献１参照）。一方、被抽出物がコーヒー粉末等の場合には、コーヒー等を収納した抽出バッグの上端部を開口し、ここからお湯等を注加してコーヒー等を抽出・濾過することが良く行われている。
【０００３】
後者のコーヒー等に用いられる抽出バッグは、フック付の抽出用バッグ、即ち、抽出に際し、フック部分を利用して抽出バッグをカップ等の抽出容器に安定に懸架しておくタイプのものも広く知られている（例えば、特許文献２、３参照）。そして、これのフック部分の形状、構造等については、最近でも様々な提案がなされている（例えば、特許文献４〜１５参照）。
【特許文献１】実用新案登録第３０２０３５５号
【特許文献２】実開昭５５−１２３４８０号公報
【特許文献３】実開平７−２２３号公報
【特許文献４】特開平１０−１６５３０８号公報
【特許文献５】特開平１０−１７９４０１号公報
【特許文献６】特開平１０−１４７７１号公報
【特許文献７】特開平１１−２０６５７４号公報
【特許文献８】特開２００１−４６２３０号公報
【特許文献９】特開２００２−３４７９５号公報
【特許文献１０】特開２００４−３５７９２９号公報
【特許文献１１】特開２００４−３５８０００号公報
【特許文献１２】特開２００５−５８２６６号公報
【特許文献１３】特開２００５−９５３１９号公報
【特許文献１４】実用新案登録第３１１８００１号
【特許文献１５】実用新案登録第３０３５４４０号
【発明の開示】
【発明が解決しようとする課題】
【０００４】
しかしながら、従来のお茶等に用いられる抽出バッグは、吊り糸を操作するものであるため、お湯を注いでいる最中にこの吊り糸がカップ内に落下してしまうという問題があった。また、吊り糸では、抽出バッグ本体を上下方向に動かすことに限られるため、抽出バッグを左右に振るような動作が難しく、底の浅いカップでは十分な操作が出来ないという問題があった。
【０００５】
また、従来のコーヒー等に用いられる抽出バッグは、カップへの懸架時の安定性の観点から、フックはバッグ本体の左右あるいは表裏に一対設けられているか、あるいは、懸架部分が一対に設けられているので、製作コストのアップにつながるという問題があった。更に、コーヒー等では、抽出容器の上端を開口させお湯を注ぐようにすると共に、この開口をカップ上縁よりも高い位置となるように保持するため、お茶等の抽出には不向きであるという問題があった。
【課題を解決するための手段】
【０００６】
本発明は、上記問題点に鑑みてなされたものであり、お湯等の入った湯飲みやカップ等の抽出容器に対して安定に且つ安全に係止し、内容物の成分を効率良く抽出することのできる、簡便なフック付抽出バッグを提供することを目的とする。
【０００７】
この目的を達成する本発明の片面フック付抽出バッグは、被抽出物を収容し、非開封状態で抽出容器内の液体に沈められる抽出バッグ本体と、前記抽出バッグ本体の片面に固着されると共に、自身に形成される下向きの凹部によって前記抽出容器の上縁に係合される薄板状部材のフックと、を備え、前記フックは、前記抽出バッグ本体における少なくとも上端から中央近傍に亘る上部領域が前記凹部から離反可能な状態で、前記抽出バッグ本体の上下方向中央近傍を保持しており、前記抽出バッグ本体が前記抽出容器内の前記液体を吸収すると、前記上部領域が垂下して前記フックの前記凹部よりも下方に位置するように構成されることを特徴とする。
【０００８】
上記目的を達成する片面フック付抽出バッグは、上記発明において、前記フックと前記抽出バック本体の固着領域が、上下方向が短片且つ水平方向が長辺となる長手形状となっていることを特徴とする。
【０００９】
上記目的を達成する片面フック付抽出バッグは、上記発明において、前記フックの前記凹部が、前記抽出バック本体の中央よりも上部側に配置されることを特徴とする。
【００１０】
上記目的を達成する片面フック付抽出バッグは、上記発明において、前記抽出バック本体が、ガセットを有する袋であることを特徴とする。
【００１１】
上記目的を達成する片面フック付抽出バッグは、上記発明において、前記抽出バック本体における少なくとも側縁にガセットが形成されていることを特徴とする。
【００１２】
上記目的を達成する片面フック付抽出バッグは、上記発明において、前記抽出バッグ本体における前記ガセットの長手方向端部が部分的にシールされていることを特徴とする。
【００１３】
上記目的を達成する片面フック付抽出バッグは、上記発明において、前記抽出バッグ本体の前記フックが固着される面側の前記ガセットの折り込み量と比較して、フック反対面側の前記ガセットの折り込み量が大きく設定されていることを特徴とする。
【００１４】
上記目的を達成する片面フック付抽出バッグは、上記発明において、前記フックが、前記凹部の一方の内側縁に連続して抽出容器内側下方に延び、且つ一部において前記抽出バック本体に固着される支持部と、前記凹部の他方の内側縁に連続して抽出容器外側下方に延びる係止部と、を備えることを特徴とする。
【００１５】
上記目的を達成する片面フック付抽出バッグは、上記発明において、前記係止部には、前記抽出容器の外側上縁近傍と当接可能な一対の幅方向凹部が形成されることを特徴とする。
【００１６】
上記目的を達成する片面フック付抽出バッグは、上記発明において、前記係止部に連続して把持部が形成され、前記係止部と前記把持部の境界に折り曲げ線が形成されていることを特徴とする。
【００１７】
上記目的を達成する片面フック付抽出バッグは、上記発明において、前記把持部には、滑り止め用の切り欠き部が形成されていることを特徴とする。
【００１８】
上記目的を達成する片面フック付抽出バッグは、上記発明において、前記支持部が、下端側において前記抽出バック本体と固着されることを特徴とする。
【００１９】
上記目的を達成する片面フック付抽出バッグは、上記発明において、前記支持部は、前記抽出容器の内側上縁近傍と当接可能な一対の幅方向拡張部が形成されることを特徴とする。
【００２０】
上記目的を達成する片面フック付抽出バッグは、上記発明において、前記支持部は、支持部本体と前記幅方向拡張部の境界に折り曲げ線が形成されることを特徴とする。
【００２１】
上記目的を達成する片面フック付抽出バッグは、上記発明において、前記支持部が、下端側で反転して更に上方に延びる延長部を備えており、前記延長部の一部で前記抽出バック本体に固着されることを特徴とする。
【００２２】
なお、上記発明では、更に、被抽出物を収納した抽出バック本体と、ほぼ矩形の前記薄板状部材から形成されて前記抽出バック本体の片面に部分的に固着された一つのフックと、を備え、前記フックは、鉛直方向上側に形成される係止部と、前記係止部の下側に連続形成される把持部と、幅方向の内側に形成されて、少なくとも一部分で前記抽出バック本体に固着される支持部と、前記係止部と前記支持部を連続させ、且つ前記抽出容器の上縁に係合される２つの凹部と、を備え、前記係止部及び前記把持部は、前記支持部から引き起こし可能に形成されているようにすることも好ましい。
【発明の効果】
【００２３】
本発明によれば、被抽出物を収納した抽出バッグ本体を、湯飲みやカップ等の抽出容器に安定に且つ安全に係止し、内容物の成分を効率良く抽出することのできる、簡便なフック付抽出バッグが提供される。
【発明を実施するための最良の形態】
【００２４】
以下、図面を参照しながら本発明の実施の形態の例について詳細に説明する。
【００２５】
図１、図２及び図３には、本発明の第１実施形態に係る片面フック付抽出バッグ（以下抽出バッグという）１が示されている。この抽出バッグ１は、抽出バッグ本体２とフック４を備える。抽出バッグ本体２は、濾過性の不織布で構成された袋状の部材であり、コーヒー、紅茶、日本茶等の被抽出物３を収納し、非開封状態でカップ等の抽出容器液体中に沈められる。フック４は、ここではほぼ矩形の薄板状部材から形成されており、抽出バッグ本体２の片面に固着される。なお、この薄板状部材は、矩形のものであっても、あるいは、図１に示した様に、角が丸みを帯びた部分的に変形した矩形であっても、他の形状であってもかまわない。本実施形態においては、一つのフック４が抽出バッグ本体２の片面のみに対して部分的に固着された状態で設けられている。
【００２６】
フック４には、下側に凹となる２つ凹部９ａ、９ｂが形成されている。この凹部９ａ、９ｂは、詳細は後述するが、抽出容器の上縁に係合されるようになっており、このフック４によって、抽出バッグ本体２が抽出容器の内部に保持される。
【００２７】
なお、この凹部９ａ、９ｂは、フック４に凹形状にスリット（切り込み等）を形成しておき、使用時に内部を離反させて顕在化させる。このようにすると、凹部９ａ、９ｂの内部領域９ｃが、後述する支持部７側に残存するようになる。この結果、内部領域９ｃが、抽出容器の内壁に押し付けられるので、ストッパーとして機能する。なお、この他にも、フック４を予め凹形状にくり抜くことで凹部９ａ、９ｂを形成してもよく、また、単なるスリットを予め形成しておき、使用時にフック９を外力で変形させてスリットを広げることで、その変形後の形状を凹部９ａ、９ｂとしても良い。更に、この凹部９ａ、９ｂの形成方法として、例えばミシン目を入れておき、使用に際してミシン目に沿って切断することで凹部９ａ、９ｂが生成されるようにしても良い。
【００２８】
抽出バッグ本体２における少なくとも上端から中央近傍に亘る上部領域Ａは、フック４の凹部９ａ、９ｂから離反可能な状態となっている。また、フック４は、抽出バッグ本体２の上下方向（抽出カップに載置した状態の上下方向を意味）の中央近傍を保持するようになっている。
【００２９】
また、フック４と抽出バック本体２との固着領域８は、上下方向が短片且つ水平方向が長辺となる長手形状となっている。凹部９ａは、詳細に、フック中心側の内側縁９ａ１と、フック外枠側の内側縁９ａ２によって構成されている。凹部９ｂも同様に２つの内側縁９ｂ１、９ｂ２によって構成されている。
【００３０】
更にこのフック４は、支持部７、係止部５、把持部６を備える。支持部７は、各凹部９ａ、９ｂを構成する一方の内側縁９ａ１、９ｂ１に連続して下方に延び、且つ、下端近傍の固着領域８において抽出バック本体２に固着される。係止部５は、凹部９ａ、９ｂを構成する他方の内側縁９ａ２、９ｂ２に連続して下方に延び、抽出容器の外壁と当接するようになっている。把持部６は、係止部５の下方に連続して形成されて、利用者が手で掴むようになっている。この係止部５と把持部６の境界には折り曲げ線１３が形成されている。
【００３１】
本実施形態では、係止部５と把持部６がフック４の周縁に配置されて、いわゆる外枠を構成している。また、フック４の外枠に囲まれるようにして、その内側に支持部７が配置される。フック４の凹部９ａ、９ｂは、抽出バック本体２の上部側に配置される。
【００３２】
なお、薄板状部材となるフック４の材質は、特に制限はないが、通常、天然又は合成の紙が適している。従って、抽出バッグ本体と固着させるためには、人に無害な接着剤を用いた熱融着や超音波融着の方法を用いるのが適当である。
【００３３】
抽出バッグ本体２は、図２および図４に示されるように、左右側及び／又は底部にマチ１５を有するいわゆるガゼットタイプの袋となっている。抽出バッグ本体２の上下側部２Ａと、角部２Ｂは、例えば、接着性樹脂を用いた熱融着や超音波融着によって密封されている。特にこの角部２Ｂは、マチ１５の長手方向端部をシールするようになっており、このマチ１５の上下端に茶葉等の原料が残らないようになっている。図２に示されるように、マチ１５の折り込み量は、（Ａ−Ａ）矢視断面に示されるように、フック４が固着され得る片面側のマチ１５ｂの折り込み量が小さく、フック反対面側のマチ１５ａの折り込み量が大きくなるように設定される。この結果、図８に示されるように、抽出バッグ本体２を抽出容器１４内で揺する際に、フック４が固着される片面側（本図面の上側）のマチ１５ｂと比較して、フック反対面側（本図面の下側）のマチ１５ｂが大きく広がる。従って、抽出バッグ本体２のフック反対面側が風船のように大きく膨らんで被抽出物が流動し易い状態となり、抽出バッグ本体２のフック面側から空気や抽出液３０が内部に浸透するようになっている。
【００３４】
なお、符合１６は、抽出バッグ本体２の周方向（胴回り方向）の接合（シール）部分であり、接着性樹脂を用いた熱融着や超音波融着によって一体化されている。
【００３５】
この抽出バッグ本体２を製造する際は、上下方向に連続する帯状のシート材に対して、被抽出物を計量して配置し、このシート材の両脇を巻き込むようにして背面中央の接合部１６をシールして筒状にする。その後、更に上下側部２Ａと角部２Ｂをシールしてから、上下縁をカットすることで、抽出バッグ本体２が製造される。これはいわゆるピロー式の包装手法となる。
【００３６】
抽出バッグ本体２を形成する濾過性の材料としては、例えば、パルプ製の未晒し・晒し紙、コットン紙、天然又は合成繊維の織編物や不織布、ナイロンやポリエステル紗等の水透過性材料が挙げられる。また、熱又は超音波シール性の、合成繊維不織布又は紙と合成繊維の混合不織布も用いられる。被抽出物３は、水、お湯、アルコール等の抽出液で内容成分が抽出されるものであり、特に限定はないが、例えば、ウーロン茶、煎茶等の緑茶、焙じ茶、紅茶、麦茶、玄米茶等の穀物茶、コーヒー粉末、コーヒー挽粒、各種薬草茶、漢方薬等があげられる。抽出バッグ本体２に収納する被抽出物の量は、被抽出物の種類、抽出容器の大きさ、目的や好みによって異なり、適宜任意に決めることができる。
【００３７】
フック４と抽出バック本体２との固着領域８は、支持部７の下端側に部分的に配置される。この結果、凹部９ａ、９ｂや支持部７の上方側は、抽出バッグ本体２に固着されることなく自由になる。
【００３８】
従って、図５に示されるように、係止部５とこれに連なる把持部６は、支持部７から引き起こし可能に形成されている。即ち、フック４の外枠側は、内側の支持部７から引き離すことができる。支持部７と係止部５は、凹部９ａ、９ｂを介して連続しているので、凹部９ａ、９ｂを境にして支持部７と係止部５が厚み方向に捩れるようになっている。
【００３９】
図６に示されるように、支持部７と係止部５の捩れを利用して、支持部７を抽出容器の内壁側、係止部５を抽出容器の外壁側に当接させることで、凹部９ａ、９ｂを抽出容器１４の上縁に係止させる。この結果、抽出バッグ本体２が、抽出容器１４の内部に保持されることになる。
【００４０】
把持部６は、折り曲げ線１３を利用して抽出バック本体２から離れる方向に折り曲げられる。この結果、把持部６が、抽出容器１４の外壁から離反するので、この把持部６を指先で掴めば、抽出バッグ１全体を安全且つ容易に取り扱いできるようになる。
【００４１】
凹部９ａ、９ｂは、フック４の幅方向中心に対してほぼ対称な位置に間隔をあけて設けられているので、フック４が安定的に抽出容器１４に固定される。
【００４２】
図７には、抽出容器１４に抽出バッグ１を設置した後、抽出容器１４内に抽出液３０を注いだ状態が示されている。抽出バッグ本体２が抽出容器１４内において抽出液３０を吸収すると、上部領域Ａがその自重によって垂下する。従って、上部領域Ａは、フック４の凹部９ａ、９ｂから離反しつつ、それよりも下方に位置するようになる。結果、抽出バッグ本体２の全体が、抽出液３０内に浸漬されることになる。
【００４３】
更に、抽出バッグ本体２は、自身の上下方向中央近傍において、支持部７によって保持されている。上部領域Ａが垂下すると同時に、抽出バッグ本体２が、マチ１５が伸びる方向に拡張される。この結果、抽出バッグ本体２の内部空間が広がるので、被抽出物３が自由に浮遊できるようになり、抽出効率を高めることができる。
【００４４】
図８には、把持部６を指先で掴んで、フック４を抽出容器１４から外した状態が示されている。フック４を取り外すと、フック４全体が、凹部９ａ、９ｂの弾性変形を利用した吊り下げ機構となり、抽出バッグ本体２を上下方向（矢印Ｚ参照）に効率的に揺することができる。また、支持部７に形成される固着領域８は、所定の面積によって抽出バッグ本体２の上下方向中央近傍を保持しているため、抽出バッグ本体２が、マチ１５の伸びる方向に一層拡張するので、抽出効率を高めることができる。更に、フック４は、糸素材と違って、ある程度の強度（剛性）を有するので、指先によって強制的に左右方向（矢印Ｙ参照）及び前後方向（矢印Ｘ参照）の双方に揺動させることができる。従って、フック４の揺動を利用して、抽出バッグ本体２を強制的に揺することができるので、好みに応じて抽出濃度を自由に調整できる。
【００４５】
本実施形態の抽出バッグ１によれば、抽出バッグ本体２の上部領域Ａが、凹部９ａ、９ｂから離反して、抽出液３０側に垂下するようになっているので、抽出バッグ本体２の内部空間が自然に広がり、抽出効率を高めることが可能となっている。
【００４６】
特に、固着領域８が、水平方向が長辺となる長手形状となっているので、上部領域Ａが垂下する際に、この固着領域８が邪魔にならない。つまり、固着領域８の上下方向距離を小さくすることで、上部領域Ａの範囲を大きく確保することが可能になる。また、固着領域８を長手形状にすることで、図８で示したように、手で揺動させる場合に、その方向を制御できるようになる。
【００４７】
更に、凹部９ａ、９ｂが、抽出バッグ本体２の中央よりも上部側（即ち上部領域Ａ側）に配置されているので、抽出バッグ本体２を抽出容器１４の底側に近づけることが可能になる。この結果、抽出液が少ない場合でも、抽出バッグ本体２を浸すことが可能になる。特に、支持部７の下端側において、抽出バッグ本体２を保持しているので、抽出バッグ本体２を抽出液中に深く沈めることが可能になる。
【００４８】
次に、図９、図１０を参照して、本発明の第２実施形態に係る片面フック付抽出バッグ１について説明する。なお、この片面フック付抽出バッグ１において、既に示した第１実施形態と同一又は類似する部材に同一符号を付することで、同部材の説明を省略し、第１実施形態と異なる部分について主に説明する。
【００４９】
この抽出バッグ１のフック４は、下側に凹となる２つ凹部９ａ、９ｂが形成されている。またフック４は、支持部７、係止部５を備える。支持部７は、各凹部９ａ、９ｂを構成する一方の内側縁９ａ１、９ｂ１に連続して下方に延び、且つ、下端近傍の固着領域８において抽出バック本体２に固着される。この支持部７には、縦方向の折り曲げ線７ａが形成されており、この折り曲げ線７ａを利用して、凹部９ａ、９ｂ及び係止部５を抽出バッグ本体２から離れるように折る曲げることが可能となっている。この結果、凹部９ａ、９ｂが、抽出バッグ本体２に対して垂直方向に配置されるので、図１０に示されるように、凹部９ａ、９ｂを抽出容器１４の上縁に容易に係合させることができる
【００５０】
抽出バッグ本体２における少なくとも上端から中央近傍に亘る上部領域Ａは、フック４の凹部９ａ、９ｂから離反可能な状態となっている。また、支持部７の下端の固着領域８は、抽出バッグ本体２の上下方向の中央近傍を保持する。従って、抽出容器１４内に抽出液３０を注ぐと、抽出バッグ本体２の上部領域Ａが垂下して、凹部９ａ、９ｂよりも下方に位置することになる。この第２実施形態の抽出バッグ１も、第１実施形態と同様の効果を得ることが出来る。
【００５１】
次に、図１１、図１２を参照して、本発明の第３実施形態に係る片面フック付抽出バッグ１について説明する。なお、この片面フック付抽出バッグ１において、既に示した第１実施形態と同一又は類似する部材に同符号を付することで同部材の説明を省略し、第１実施形態と異なる部分について主に説明する。
【００５２】
この抽出バッグ１は、抽出バッグ本体２、フック４を備える。フック４には、下側に凹となる２つ凹部９ａ、９ｂが形成されている。この凹部９ａ、９ｂは、使用前の状態において、抽出バッグ本体２における中央から下端に亘る下部領域Ｂ側に配置されている。
【００５３】
更にこの第３実施形態では、抽出バッグ本体２における上部領域Ａに加えて、下部領域Ｂも凹部９ａ、９ｂから離反可能な状態となっている。なお、凹部９ａ、９ｂの内部の残存領域９ｃは、係止部５又は把持部６側に一体化するようになっている。
【００５４】
フック４に形成される支持部７は、下端側で反転して更に上方に延びる延長部７ｂを備えている。延長部７ｂの上端側は幅方向に拡張しており、この上端が抽出バック本体２の中央近傍に固着される。この結果、フック４は、支持部７における延長部７ｂの上端に部分的に形成される固着領域８を利用して抽出バッグ本体２の中央近傍を保持する。
【００５５】
図１２に示されるように、支持部７と係止部５の捩れを利用して、支持部７を抽出容器１４の内壁側、係止部５を抽出容器１４の外壁側に当接させることで、凹部９ａ、９ｂを抽出容器１４の上縁に係止させる。この結果、抽出バッグ本体２が、抽出容器１４の内部に保持されることになる。
【００５６】
抽出容器１４内に抽出液３０を注ぐと、抽出バッグ本体２の重みによって、支持部７における延長部７ｂが弾性変形して、抽出容器１４の内壁から離反する。従って、延長部７ｂの上端の固着領域８が、抽出容器１４の中央側に移動する。この結果、抽出バッグ本体２の上部領域Ａも垂下して、凹部９ａ、９ｂよりも下方に位置する。この結果、抽出バッグ本体２の全体が、抽出液３０内に浸されることになる。
【００５７】
又、本実施形態では延長部７ｂの変形によって、固着領域８が中央に移動するので、抽出バッグ本体２の下部領域Ｂも、抽出容器１４の内壁から離反させることができる。この結果、抽出バッグ本体２が、抽出容器１４の中央近辺において自由に保持されるので、マチ１５が伸びる方向に拡張され、抽出バッグ本体２の内部空間を一層広げることができるようになる。
【００５８】
次に、図１３、図１４を参照して、本発明の第４実施形態に係る片面フック付抽出バッグ１について説明する。なお、この片面フック付抽出バッグ１において、既に示した第１実施形態と同一又は類似する部材に同一符号を付することで同部材の説明を省略し、第１実施形態と異なる部分について主に説明する。
【００５９】
図１３に示されるように、この抽出バッグ１のフック４は、下側に凹となる２つ凹部９ａ、９ｂが形成されている。この凹部９ａ、９ｂは、いわゆるスリット構造であり、このスリットが拡張された段階で凹部として機能するようになっている。またフック４は、支持部７、係止部５、把持部６をを備える。支持部７は、各凹部９ａ、９ｂを構成する一方の内側縁９ａ１、９ｂ１に連続して下方に延び、且つ、下端近傍の固着領域８において抽出バック本体２に固着される。抽出バッグ本体２における少なくとも上端から中央近傍に亘る上部領域Ａは、フック４の凹部９ａ、９ｂから離反可能な状態となっている。また、支持部７の下端の固着領域８は、抽出バッグ本体２の上下方向の中央近傍を保持する。従って、抽出容器１４内に抽出液３０を注ぐと、抽出バッグ本体２の上部領域Ａが垂下して、凹部９ａ、９ｂよりも下方に位置することになる。この第４実施形態の抽出バッグ１も、第１実施形態と同様の効果を得ることが出来る。
【００６０】
更にこの係止部５には、抽出容器１４の外側の上縁近傍と当接可能な一対の幅方向凹部５ａ、５ｂが形成される。この幅方向凹部５ａ、５ｂは互いに対向しており、内部の支持部７が離反した際に、幅方向に延びる開口が形成されるようになっている。従って、図１４（Ａ）に示されるように、抽出容器１４の上縁近傍が、この対抗する幅方向凹部５ａ、５ｂと係合することで、フック４がしっかりと固定されるようになっている。
【００６１】
一方、この幅方向凹部５ａ、５ｂに対応するようにして、支持部７には、抽出容器１４の内側の上縁近傍と当接可能な一対の幅方向拡張部７ａ、７ｂが形成される。更に、支持部本体とこの幅方向拡張部７ａ、７ｂの境界には、折り曲げ線７ｃが形成されている。従って、図１４（Ｂ）に示されるように、幅方向拡張部７ａ、７ｂは、折り曲げ線７ｃを介して抽出容器１４の内側に屈曲するようにして、抽出容器１４との接触面積を広げる役割を果たす。また、幅方向拡張部７ａ、７ｂは、折り曲げ線７ｃを介して抽出容器１４の内側に屈曲しながらも、その反作用によって抽出容器１４の内壁に押し付けられるので、フック４が抽出容器１４の上縁に安定的に固定されることになる。
【００６２】
係止部５の下方側に連続形成される把持部６は、折り曲げ線１３を利用して抽出バック本体２から離れる方向に折り曲げられる。更にこの把持部６には、下端側に切り欠き部６ａ、６ｂが形成されており、指先で掴んだ際に、この切り欠き部６ａ、６ｂによる段差によって滑らないようになっている。この結果、図１４に示されるように、抽出容器１４の外壁から離反させた把持部６を指先で掴めば、抽出バッグ１全体を安全且つ容易に取り扱いできる。例えば、図１５に示されるように、把持部６を掴んで、抽出バッグ本体２を抽出液中で揺することも可能であり、特に、上下方向（矢印Ｚ参照）、前後方向（矢印Ｘ参照）、および左右方向（矢印Ｙ参照）に自在に操作できるので、抽出濃度を効率的に調整することが可能となる。
【００６３】
なお、上記実施形態では、フックの凹部、支持部、係止部等が特定形状である場合を例示したが、本発明はそれに限定されず、それらの形状や大きさに特に制限はない。フックを形成する素材も特に限定されるものではなく、薄い耐水性の紙シートやプラスチック性のシートを用いるようにしても良い。また、フックにおける抽出バッグ本体との固着領域の形状は、本実施形態に制限されない。
【００６４】
更に本実施形態では、抽出バッグ本体としてガゼットタイプを例示したが、本発明はそれに限定されず、公知の抽出バッグを用いることも可能である。また、ガゼットタイプの場合において、そのマチの方向、形成場所についても本実施形態に限定されず、幅方向の中央にマチを有するようにしても良い。
【００６５】
また、本発明の抽出バッグ本体に収納する被抽出物の量は、被抽出物の種類、抽出容器の大きさ、目的や好みによって異なるが、適宜任意に決めることができる。
【産業上の利用可能性】
【００６６】
本発明の抽出バッグは、抽出容器の上縁に引っ掛けて、被抽出物を抽出する各種用途に利用することが可能である。
【図面の簡単な説明】
【００６７】
【図１】本発明の第１実施形態に係る片面フック付抽出バッグの正面図。
【図２】同片面フック付抽出バッグの背面図。
【図３】同片面フック付抽出バッグの側面図。
【図４】同片面フック付抽出バッグの抽出バッグ本体のみを示す斜視図。
【図５】同片面フック付抽出バッグのフックを抽出バッグ本体から引き上げた状態を示す斜視図。
【図６】同片面フック付抽出バッグを、抽出容器に係止した様子を示す斜視図。
【図７】同片面フック付抽出バッグにおける抽出バッグ本体を抽出液に浸した状態を示す部分断面図。
【図８】同片面フック付抽出バッグを手で揺動させる状態を示す部分断面図。
【図９】本発明の第２実施形態に係る片面フック付抽出バッグの正面図。
【図１０】同片面フック付抽出バッグにおける抽出バッグ本体を抽出液に浸した状態を示す部分断面図。
【図１１】本発明の第３実施形態に係る片面フック付抽出バッグの正面図。
【図１２】同片面フック付抽出バッグにおける抽出バッグ本体を抽出液に浸した状態を示す部分断面図。
【図１３】本発明の第４実施形態に係る片面フック付抽出バッグの正面図。
【図１４】同片面フック付抽出バッグにおける抽出バッグ本体を抽出液に浸した状態を示す部分断面図。
【図１５】同片面フック付抽出バッグにおける抽出バッグ本体を抽出液内で揺する状態を示す部分断面図。
【符号の説明】
【００６８】
１  片面フック付抽出バッグ
２  抽出バッグ本体
３  被抽出物
４  ほぼ矩形の薄板状部材から形成されたフック
５  係止部
６  把持部
７  支持部
９ａ、９ｂ  凹部
１３  折り曲げ線
１４  抽出容器
１５  マチ
【図１】
2009023660.tif 000003
【図２】
2009023660.tif 000004
【図３】
2009023660.tif 000005
【図４】
2009023660.tif 000006
【図５】
2009023660.tif 000007
【図６】
2009023660.tif 000008
【図７】
2009023660.tif 000009
【図８】
2009023660.tif 000010
【図９】
2009023660.tif 000011
【図１０】
2009023660.tif 000012
【図１１】
2009023660.tif 000013
【図１２】
2009023660.tif 000014
【図１３】
2009023660.tif 000015
【図１４】
2009023660.tif 000016
【図１５】
2009023660.tif 000017